(57)【要約】【課題】　転写積層物供与体の前面にある感熱接着層がその背面に移動しないレンチキュラー画像用の多層転写積層物供与体の提供。【解決手段】　支持体の上面に、ａ）剥離層より上にある全ての層から該支持体を除去できる剥離層、ｂ）該剥離層より上にある色素受容層、ｃ）最上部に１００℃未満のＴｇを有し、レンチキュラー支持体に接着可能なポリマーを含んでなる感熱接着層を備え、そして支持体の下面に、ｄ）該感熱接着層が該支持体の下面に接着する傾向を減少させる接着防止層を備えている多層転写積層物供与体。【選択図】　　　図１
2004078223.tif 000002
【特許請求の範囲】
【請求項１】
　支持体の上面に、ａ）剥離層より上にある全ての層から該支持体を除去させることができる剥離層、ｂ）該剥離層より上にある色素受容層、ｃ）転写積層物供与体の最上部に、１００℃未満のＴｇを有し、そして熱の適用によりレンチキュラー支持体に接着可能なポリマーを含んでなる感熱接着層を備え、そして支持体の下面に、ｄ）該感熱接着層と該支持体の下面が接触して保管された場合に、該感熱接着層が該支持体の下面に付着する傾向を減少させる付着防止層を備えている柔軟性支持体を含んでなる多層転写積層物供与体。
【請求項２】
　ａ）レンチキュラーアレイを有する第一の支持体上に画像を印刷すること、ｂ）支持体を備えた該画像を請求項１記載の支持体上の転写積層物要素と接触させて、複合材を形成すること、ｃ）該複合材を加熱して、該画像を該転写積層物要素に拡散させることおよび該転写積層物要素を該レンチキュラー要素に接着すること、およびｄ）その複合材積層物から第二の支持体を除去し、レンチキュラー要素を形成することを含んでなるレンチキュラー要素を形成する方法。
【発明の詳細な説明】
【技術分野】
【０００１】
　本発明はレンチキュラー要素の形成に有用な付着防止裏打ち材を備えた転写積層物供与体に関する。
【背景技術】
【０００２】
　レンチキュラーアレイまたはオーバーレイは画像に立体感または動感を与えるための既知の手段である。レンチキュラー画像は、外側表面に細密で平行に並んでいるレンチキュール（半円筒状のレンズ）を有する透明な上層、およびそのレンチキュールを通して見える画像を含む画像含有基板または下層を用いて創出される。その二つの層がレンチキュラー系を形成し、画像は、その系を見る角度の関数として選択的に目に見える。立体画像は、米国特許第５，５４３，９６４号明細書にさらに十分に記載されているように、異なった角度から見られる場面の多数の異なった部分を一緒に一つの構成に取り入れることによって作られた合成画である。レンチキュールが垂直方向に配向されている場合、見る人のそれぞれの目は異なった要素を見、そして見る人はその正味の結果を被写界の深度と判断するであろう。また、見る人は、画像に関連して頭を動かすことができ、それによってそれぞれの目で他の光景を観察し、そして立体感を高める。各レンチキュールは複数の画像線または一組の画像線と結びついており、そして見る人は、各レンチキュールについてそれぞれの目でそれぞれのセットの一つの画像線（または光景片）のみを見ていると思わせられる。レンチキュールに対して正確に線画像の組を位置合わせすることは絶対に必要で、その結果、その集合体を見ると適当な画像が形成される。
【０００３】
　異なった角度からレンチキュラー要素を眺めることによって多数の画像を見るためにこの方法を用いることができる。レンチキュールが水平方向に配向されている場合、それぞれの目は同じ画像を見る。この場合、レンチキュラーを動かして、多数の画像を動く幻影を発生させるために用いることができる。レンチキュールが配向されている方向のいずれに対しても、それぞれの見える画像は、レンチキュラーアレイのサイクル、長さ当りのレンチキュールの数、および所望の画像の数によって実質的にインターレースされた画像に由来する線によって発生する。
【０００４】
　線状画像をレンチキュラー記録材料に記録する一つの方法は、光学的露光（印刷）による立体的画像記録装置（以後、単に「記録装置」という）によって達成される。この記録装置によってオリジナルの透過画像が光源から投影される。オリジナル画像を通して透過された光は、記録装置の映写レンズを通り、レンチキュラーシートを介してレンチキュラー記録材料上に集束する。オリジナル画像はそれによって線状画像として露光される。画像記録の別の方法は、比較的簡単な光学機器を必要とし、しかも各種の画像処理操作およびレンチキュラーシートの仕様変更に適合する大きな柔軟性を有している走査露光を用いる。
【０００５】
　アカホリ（H.Akahori）等の論文「動画プリンターの開発（Development of Motion Image Printer）」（ＩＳ＆Ｔ、第５０回年次会議報（Annual Conference Proceedings）、３０５頁）には、レンチキュラー材料についての記載中でサーマルヘッドおよび感熱色素転写を用いる立体的画像を印刷するためのプリンターの開示がある。受容体シートはレンチキュラー材料に対する画像の位置合わせに必要な安定性を達成するために加熱されねばならない。解像度は３００ＤＰＩサーマルヘッドを用いて１００ＤＰＩレンチキュラー材料上に６画像である。しかしながら、抵抗性ヘッドから移動する熱は、望ましくないことに、印刷中に支持体を通して拡がり、従って画像は解像度が不足するので、この方法には低解像度画像になるという問題がある。
【０００６】
　欧州特許出願公開第０５９６６２９Ａ２号および同第０６５９０２６Ａ２号明細書はレーザーを用いてレンチキュラー支持体に直接印刷する方法および装置を開示している。この方法はレンチキュラー材料に接触して画像を形成する。米国特許第６，２３９，０６８号明細書は拡散耐性レンチキュラー要素を作る方法に関する。この方法では、転写積層物を用いて、トリミングを必要とせず、そしてまた、色素に対して受容／媒染要素として作用する積層物を提供する。この発明は、最初は申し分なく作動するが、しかし、時間の経過および高湿度下において、媒染／接着層は、転写要素が保管および輸送中にロールの次の巻きの背面部に移動して使用できなくなるというブロッキングを引き起こす場合がある。時間、圧力、温度および湿度の結果、接着層は転写積層物供与体の表面に接着するであろう、そして巻きが戻る時に転写積層物を剥がすであろう。
【０００７】
【特許文献１】米国特許第６，２３９，０６８号明細書
【発明の開示】
【発明が解決しようとする課題】
【０００８】
　保管または輸送中に転写積層物供与体の背面に移動しない熱活性化接着層を有する転写積層物を用いてレンチキュラー画像を得るための転写要素および方法を提供することが解決すべき課題である。
【課題を解決するための手段】
【０００９】
　本発明は、支持体の上面に、ａ）剥離層より上にある全ての層から該支持体を除去させることができる剥離層、ｂ）該剥離層より上にある色素受容層、ｃ）転写積層物供与体の最上部に、１００℃未満のＴｇを有し、そして熱の適用によりレンチキュラー支持体に接着可能なポリマーを含んでなる感熱接着層を備え、そして支持体の下面に、ｄ）該感熱接着層と該支持体の下面が接触して保管された場合に、該感熱接着層が該支持体の下面に付着する傾向を減少させる付着防止層を備えている柔軟性支持体を含んでなる多層転写積層物供与体を提供する。
【００１０】
　また、本発明は、ａ）レンチキュラーアレイを有する第一の支持体上に画像を印刷すること、ｂ）支持体を備えた該画像を上記転写積層物供与体と接触させて、複合材を形成すること、ｃ）該複合材を加熱して、該画像を該転写積層物要素に拡散させることおよび該転写積層物要素を該レンチキュラー要素に接着すること、およびｄ）その複合材積層物から第二の支持体を除去し、レンチキュラー要素を形成することを含んでなるレンチキュラー要素を形成する方法を含む。
【発明の効果】
【００１１】
　本発明の態様は、効率的に生成され、高摩耗耐性を有し、トリミングを必要としない高解像度のレンチキュラー画像要素を可能とする。付着防止裏打ちは、未処理在庫品を経時変化させないことによって耐久性を高める。
【発明を実施するための最良の形態】
【００１２】
　レーザーサーマル法によってレンチキュラー画像を作る場合、レンチキュールと一直線のレンチキュラー支持体に色素を転写する。色素は、色素受容層に運ばれるまで、圧倒的にその表面に存在する。転写積層物は、保護（色素受容層）を提供するために用いられ、そして少なくとも好ましい態様において、米国特許第６，２３９，０６８号明細書に記載されているように、積層物の正確なアラインメントまたは後トリミングを必要とせずにその色素を媒染する。転写積層物は感熱接着性でなければならず、また、色素受容層として作用することができる。感熱接着性は、レンチキュールの変形が起こらない、１００℃未満、さらに８０℃未満という比較的低温で活性化されなければならない。転写積層物供与体は、通常、巻き上げられているか、または、ある供与体要素の背面が要素の前接着面と接触するようにシート状で積み重ねられている。湿気、圧力、温度および時間が供与体要素間の早まった接着を生じ、その要素を使用不能にしてしまう場合がある。
【００１３】
　本発明では、支持体に剥離層、色素受容層および接着層を塗布する。剥離、色素受容および感熱接着の機能を維持する限り、単一層または多層を用いることができることは理解されよう。
【００１４】
　本発明に用いる受容要素のための支持体は、例えばポリエチレンテレフタレートのようなポリエステル、ポリアミド、ポリカーボネート、例えばセルロースアセテートのようなセルロースエステル、例えばポリフッ化ビニリデンまたはテトラフルオロエチレン−ヘキサフルオロプロピレン共重合体のようなフッ素ポリマー、例えばポリオキシメチレンのようなポリエーテル、ポリアセタール、例えばポリスチレン、ポリエチレン、ポリプロピレンまたはメチルペンテンポリマーのようなポリオレフィン、および例えばポリイミドアミドおよびポリエーテルイミドのようなポリイミドを含むことができる。一般的に、支持体は厚さが約５〜約２００μｍである。
【００１５】
　本発明の付着防止層は、フッ素化ポリマーまたはトリメチルシリルポリマーを含む。そのようなポリマーは、テトラフルオロエチレン、クロロトリフルオロエチレン、ヘキサフルオロプロピレンオキサイド、パーフルオロビニルエーテル、およびトリフルオロエチルメタクリレートポリマーからなる群から選ばれたポリマーおよびトリメチルシリルメタクリレートおよびトリメチルシリルメチルメタクリレートポリマーから選ばれたポリマー、または上述の１もしくは複数を含んでいるコポリマーを含む。形状はビーズ、他の幾何学的な形状、またはバラバラに切断された微粒子であることができる。
【００１６】
　上述したように、本発明に用いる接着層４０のポリマーは、約１００℃未満、さらには８０℃未満のＴｇを有する。Ｔｇがより大きい場合、次の保護要素へのレンチキュラー要素の接着が不十分であるかも知れない。本発明に有用な接着性ポリマーの例は、例えばポリエステル、ポリウレタン、およびポリカーボネートのような縮合ポリマー、ポリスチレン類およびビニルポリマーのような付加ポリマー、およびお互いに共有結合した二種以上のモノマーのコポリマーを含む。本発明の好ましい態様では、接着層は、また、米国特許第６，２２１，８０６号明細書に詳述されているように、色素に対する媒染層として作用する。接着性のある媒染物質の例は、例えばアクリル酸ポリマー、オレフィンカルボン酸ポリマー、オレフィンアクリル酸コポリマー、スルホポリエステルまたはスチレンカルボン酸ポリマーのような酸性ポリマーを含む。一般的に、接着層は約０．１〜約１０ｇ／ｍ2の被覆量で用いることができる。
【００１７】
　本発明で用いる剥離層は、転写積層物の支持体からレンチキュラー要素を切り離すことができるポリマーであれば如何なるポリマーでもよい。剥離は剥離層と支持体との接触面、剥離層自体の内部、または剥離層と次の隣接層との接触面で起こることができる。本発明の好ましい態様では、剥離は剥離層と支持体の接触面で起こる。
【００１８】
　本発明で用いることができる剥離層の例は、ヒドロキシエチルセルロース、ゼラチン、およびポリビニルブチラールを含む。剥離層は約０．１〜約１０ｇ／ｍ2の被覆量で用いることができる。剥離層がレンチキュラー要素と共に残る態様では、剥離層は、付加的強度、磨耗耐性、剛性、背面印刷に対するインク受容性および望ましくない表面への接着層の付着防止を提供する。
【００１９】
　剥離層および接着性ポリマーの間に、反射能力、強度、特別な摩耗耐性、または剛性を与えるために１または複数の中間層を置くことができる。これらの中間層は、例えばＴｉＯ２、硫酸バリウム、または中空ビーズのような反射性材料を含有するポリマーバインダーを含むことができる。本発明の好ましい態様では、剥離層とその支持体との間で分離が起こる。従って、レンチキュラー要素は接着性ポリマーと剥離層との間に置かれた反射層を有する。
【００２０】
　レンチキュラーアレイ支持体に印刷される画像層は、画像を形成し、転写積層物と調和する限り、如何なる色素顔料材料から構成してもよい。好ましい態様では、色素は、酸の存在下でイオン性になることができる非イオン性色素であり、そして転写積層物供与体は酸媒染層を有している。
【００２１】
　寸法安定性である限り、如何なる材料でも本発明のレンチキュラーアレイ用の支持体として用いることができる。そのような材料は、例えばポリエチレンテレフタレートのようなポリエステル、ポリアミド、ポリカーボネート、例えばセルロースアセテートのようなセルロースエステル、例えばポリフッ化ビニリデンまたはテトラフルオロエチレン−ヘキサフルオロプロピレン共重合体のようなフッ素ポリマー、例えばポリオキシメチレンのようなポリエーテル、ポリアセタール、例えばポリスチレン、ポリエチレン、ポリプロピレンまたはメチルペンテンポリマーのようなポリオレフィン、および例えばポリイミドアミドおよびポリエーテルイミドのようなポリイミドを含む。一般的に、支持体は厚さが約５０〜５０００μｍである。レンチキュラーアレイを別の支持体に設けることができるが、一般的に支持体とアレイは一つの一体化した要素中にある。
【００２２】
　加熱工程において、接着層はレンチキュラー要素と接触し、そして所望の領域でのみ接着する。複合材積層物からの要素支持体の分離によって、レンチキュラー要素と接触していない要素領域は一体化を維持する。レンチキュラー要素と接触している媒染要素の領域で、剥離層およびレンチキュラー支持体の縁部での接着力不足によって援助されて分離が起こり、それによって別個のトリミング工程の必要性が無くなる。
【００２３】
　本発明を説明するために以下の実施例を提供する。
【実施例】
【００２４】
（例１）
本発明要素１：
　厚さ３６μｍのポリエチレンテレフタレート支持体にポリビニルブチラール（モンサント社製ButvarTM７６）１．０８ｇ／ｍ2の剥離層をアセトンから塗布した。該剥離層の上に、ＭＷが２０，０００のポリ｛イソフタル酸−コ−５−スルホイソフタル酸（モル比は９０：１０）−ジエチレングリコール（モル比は１００）｝（イーストマンケミカル社製ＡＱ２９Ｄアンモニウム塩）３．２４ｇ／ｍ2およびディスペクス（Dispex）Ｎ−４０TM界面活性剤（チバスペシャルティケミカルス（Ciba Specialty Chemicals））０．０２ｇ／ｍ2の水系塗布層である媒染接着層を塗布した。
【００２５】
本発明要素２：
　この要素は、剥離層と媒染接着層との間に、３２．４ｇ／ｍ2のＴｉＯ2水系塗布液、およびＭＷが２０，０００のポリ｛イソフタル酸−コ−５−スルホイソフタル酸（モル比は９０：１０）−ジエチレングリコール（モル比は１００）｝（イーストマンケミカル社製ＡＱ２９Ｄアンモニウム塩）３．２４ｇ／ｍ2およびディスペクス（Dispex）Ｎ−４０TM界面活性剤（チバスペシャルティケミカルス（Ciba Specialty Chemicals））０．０２ｇ／ｍ2の水系塗布液から反射層を塗布した以外は本発明要素１と同じであった。
【００２６】
付着防止層：
　要素１および要素２の背面に、０．３２ｇ／ｍ2の２−メチル−２−プロペン酸および２−メチル−２−プロペン酸エチルのコポリマー、０．０８ｇ／ｍ2のポリテトラフルオロエチレン微粒子（シャムロック社（Shamrock Co.）製Hydrocerf９１７４）、０．１５ｇ／ｍ2のポリテトラフルオロエチレン微粒子（旭ガラスフルオロポリマーズＵＳＡ社製Fluon（商標）ＡＤ１）、０．０２ｇ／ｍ2のゾニル（Zonyl）ＦＳＮ界面活性剤（デュポン社製）、および０．１７ｇ／ｍ2のスチレンとジビニルベンゼンとのコポリマー（９５：５）の１８μｍビーズを水から塗布した。コントロールはこれを塗布しない要素１および２であった。
【００２７】
レンチキュラーアレイ：
　一面が円筒状レンズであり背面が平らなポリカーボネートレンチキュラー材料を用いた。このレンチキュラー材料は、ピッチが１．９７３列／ｍｍであり、厚さが１．２７ｍｍであった。レンズの曲率は、焦点がレンチキュラー材料の背面になるようにした。
【００２８】
印刷：
　レンチキュラーアレイの平らな背面に色素供与体要素の色素面を向けて置き、供与体をアレイに保持するように真空吸引した。１ワットのＣ−マウントレーザーダイオードＳＤＬ２３−Ｓ９７８１（スペクトラダイオードラボス社（Spectra Diode Labs,Inc.）製）を用いて印刷を行なった。米国特許第６，１９１，８０２号明細書（Kessler）が開示しているようなビームフォルディング技法を用いて、その供与体要素に約１３μｍ×８０μｍのスポットで約７００ミリワット負荷した。米国特許第６，２５２，６２１号明細書（Kessler等）に記載されているような、走査方向に平行な長軸によって方向付けられた光線により、検流計を用いてスポットの走査を行なった。ドエル時間は約９マイクロ秒であった。目標画像を供与体背面に描き、その供与体色素をレンチキュラー材料に転写させた。得られた画像はマゼンタであった。
【００２９】
　その要素の接着層がレンチキュラーアレイの平らな面と接触するようにそのカードをラミネーターに通すことによって、色素の拡散／媒染および複合要素の転写積層物の積層を行なった。積層は、１３３℃の温度で０．３６ｃｍ／秒の供給速度で行なった。ラミネーターは、改造したＧＭＰ Ｃｏ.Ｌtd（韓国、キョングキ道）製ラミネーター、モデルPassport-１７５ＬＳＩであった。改造は、１．２７ｍｍ厚のレンチキュラー材料に合わせるためにギャップ厚みを調整することおよびより低いローラー加熱の無力化であった。その後、支持体をレンチキュラー材料の背面から剥がし、高品質レンチキュラー画像カードを得た。
【００３０】
　付着防止裏打ち層を塗布した支持体およびコントロールを５ｃｍの芯の回りに巻き、表Ｉに示したように定期的に、ロールを巻き戻すことによって付着の有無をチェックした。
【００３１】
【表１】
2004078223.tif 000003
【００３２】
　上記結果は、本発明の要素中の付着防止塗布層の存在が保管中の前面から背面への移動を防いでいることを示している。
【００３３】
　本発明の好ましい態様について特に詳細に記載したが、本発明の範囲内で変形および変更することができることは理解されるであろう。
【産業上の利用可能性】
【００３４】
　本発明は、保管または輸送中に転写積層物供与体の背面に移動しない熱活性化接着層を有する転写積層物を用いてレンチキュラー画像を得るための要素および方法を提供する。
【図面の簡単な説明】
【００３５】
【図１】本発明の多層転写積層物供与体を示す模式的な断面図である。
【符号の説明】
【００３６】
１０は支持体である。
２０は剥離層である。
３０は色素受容体層である。
４０は接着層である。
５０は付着防止層である。
【図１】
2004078223.tif 000004